(57)【要約】【課題】無線機での受信電界レベルの測定において制御部の無駄なサンプリング起動を防止し、受信待受け状態の低消費電力化を図る。【解決手段】制御部５の受信電界閾値設定処理８によりＤ／Ａ変換部２に受信電界閾値を設定し、Ｄ／Ａ変換部２では受信電界閾値を電圧値の閾値に変換して電圧比較部３に出力し、無線部１で電界を受信すると電圧比較部３の入力に受信電界強度に比例した電圧が印可され、この電圧が電圧値の閾値を超えると電圧比較部３から制御部５に「受信電界有り」の通知がなされ、制御部５の受信電界測定起動処理７が動作して受信電界測定処理６を起動要求し、受信電界測定処理６はＡ／Ｄ変換部４より受信電界強度データを取得して受信電界強度を測定する。【選択図】　　　　図１
2004015481.tif 000002
【特許請求の範囲】
【請求項１】
受信電界強度を電圧値に換算し、換算した電圧値を換算電圧値として出力する無線部と、
前記無線部より換算電圧値を入力し、入力した換算電圧値と所定の閾値とを比較し、換算電圧値が閾値以上である場合に、換算電圧値が閾値以上であることを通知する比較結果通知を出力する電圧比較部と、
前記無線部より換算電圧値を入力し、入力した換算電圧値をアナログ信号からデジタル信号に変換するアナログ／デジタル変換部と、
前記電圧比較部より前記比較結果通知が出力された際に、前記比較結果通知を入力し、前記比較結果通知の入力を契機として前記アナログ／デジタル変換部よりデジタル信号に変換された換算電圧値を入力し、入力したデジタル信号に変換された換算電圧値を用いて受信電界強度を測定する制御部とを有することを特徴とする無線通信装置。
【請求項２】
前記制御部は、
前記比較結果通知を入力する前は、受信電界強度の測定を行わないことを特徴とする請求項１に記載の無線通信装置。
【請求項３】
前記制御部は、所定の受信電界閾値を設定し、
前記無線通信装置は、更に、
前記制御部により設定された受信電界閾値を電圧値の閾値に換算し、換算した電圧値の閾値を前記電圧比較部に出力するデジタル／アナログ変換部を有し、
前記電圧比較部は、
前記無線部より入力した換算電圧値と前記デジタル／アナログ変換部より入力した電圧値の閾値とを比較することを特徴とする請求項１に記載の無線通信装置。
【請求項４】
受信電界強度を電圧値に換算し、換算した電圧値を換算電圧値として出力する電圧値換算ステップと、
前記電圧値換算ステップにより換算された換算電圧値を入力し、入力した換算電圧値と所定の閾値とを比較し、換算電圧値が閾値以上である場合に、換算電圧値が閾値以上であることを通知する比較結果通知を出力する電圧比較ステップと、
前記電圧値換算ステップにより換算された換算電圧値を入力し、入力した換算電圧値をアナログ信号からデジタル信号に変換するアナログ／デジタル変換ステップと、
前記電圧比較ステップにより前記比較結果通知が出力された際に、前記比較結果通知を入力し、前記比較結果通知の入力を契機として前記アナログ／デジタル変換ステップによりデジタル信号に変換された換算電圧値を入力し、入力したデジタル信号に変換された換算電圧値を用いて受信電界強度を測定する受信電界強度測定ステップとを有することを特徴とする受信電界強度測定方法。
【発明の詳細な説明】
【０００１】
【発明の属する技術分野】
この発明は、無線機の受信電界強度を検出する技術に関するものである。
【０００２】
【従来の技術】
図４は、例えば特開２０００−２３２６３公報の無線機構成で示されている受信電界レベルを検出するブロックであり、１は受信電界強度を電圧値に換算して出力する無線部、４は無線部１から出力される受信電界強度換算の電圧値をアナログ／デジタル変換して受信電界強度データとして制御部５に通知するＡ／Ｄ変換部、５は無線機の制御部、９は制御部５の受信電界レベル比較処理である。受信電界レベル比較処理９のフローチャートを図５に示す。
【０００３】
次に動作について説明する。
図４の構成では、無線部１から出力される電圧値をＡ／Ｄ変換部４を使って受信電界強度データに変換して制御部５に通知し、常時、または一定周期のサンプリングで制御部５の受信電界レベル比較処理９を起動する事によって受信電界レベルの検出を行なうものである。
【０００４】
【発明が解決しようとする課題】
従来の無線機構成で示されている受信電界レベルを検出するブロックでは、制御部５が常時、または一定周期のサンプリングで受信電界レベル比較処理９を起動する必要があり、実際に受信電界レベルが無いタイミングであっても制御部５全体を起動しなければならず、無線機とりわけ携帯型無線機で要求される受信待受け状態での消費電力の低減を困難なものとしている。
【０００５】
本発明は上記のような問題点を解消するためになされたもので、受信電界レベルが無い状態では無駄に制御部の起動を行なわず、受信電界レベルが有る事を制御部以外の機能ブロックで判断をさせることにより、無線機として受信待受け状態の低消費電力化を図る事を目的としている。
【０００６】
【課題を解決するための手段】
本発明に係る無線通信装置は、
受信電界強度を電圧値に換算し、換算した電圧値を換算電圧値として出力する無線部と、
前記無線部より換算電圧値を入力し、入力した換算電圧値と所定の閾値とを比較し、換算電圧値が閾値以上である場合に、換算電圧値が閾値以上であることを通知する比較結果通知を出力する電圧比較部と、
前記無線部より換算電圧値を入力し、入力した換算電圧値をアナログ信号からデジタル信号に変換するアナログ／デジタル変換部と、
前記電圧比較部より前記比較結果通知が出力された際に、前記比較結果通知を入力し、前記比較結果通知の入力を契機として前記アナログ／デジタル変換部よりデジタル信号に変換された換算電圧値を入力し、入力したデジタル信号に変換された換算電圧値を用いて受信電界強度を測定する制御部とを有することを特徴とする。
【０００７】
前記制御部は、
前記比較結果通知を入力する前は、受信電界強度の測定を行わないことを特徴とする。
【０００８】
前記制御部は、所定の受信電界閾値を設定し、
前記無線通信装置は、更に、
前記制御部により設定された受信電界閾値を電圧値の閾値に換算し、換算した電圧値の閾値を前記電圧比較部に出力するデジタル／アナログ変換部を有し、
前記電圧比較部は、
前記無線部より入力した換算電圧値と前記デジタル／アナログ変換部より入力した電圧値の閾値とを比較することを特徴とする。
【０００９】
本発明に係る受信電界強度測定方法は、
受信電界強度を電圧値に換算し、換算した電圧値を換算電圧値として出力する電圧値換算ステップと、
前記電圧値換算ステップにより換算された換算電圧値を入力し、入力した換算電圧値と所定の閾値とを比較し、換算電圧値が閾値以上である場合に、換算電圧値が閾値以上であることを通知する比較結果通知を出力する電圧比較ステップと、
前記電圧値換算ステップにより換算された換算電圧値を入力し、入力した換算電圧値をアナログ信号からデジタル信号に変換するアナログ／デジタル変換ステップと、
前記電圧比較ステップにより前記比較結果通知が出力された際に、前記比較結果通知を入力し、前記比較結果通知の入力を契機として前記アナログ／デジタル変換ステップによりデジタル信号に変換された換算電圧値を入力し、入力したデジタル信号に変換された換算電圧値を用いて受信電界強度を測定する受信電界強度測定ステップとを有することを特徴とする。
【００１０】
【発明の実施の形態】
実施の形態１．
以下、本発明の実施の形態１に係る無線機（無線通信装置）の構成例を図１に示す。
図１において、１は受信電界強度を電圧値に換算して出力する無線部、２は受信電界閾値を電圧値に換算して出力するデジタル／アナログ変換部（以下、Ｄ／Ａ変換部とする）、３は無線部１から出力される受信電界強度から換算された換算電圧値と前述のＤ／Ａ変換部２から出力される電圧値の閾値とを比較して換算電圧値が電圧値の閾値を超えたこと、即ち、受信電界閾値を超えたことを制御部５に通知する電圧比較部、４は無線部１から出力される受信電界強度換算の換算電圧値をＡ／Ｄ変換して受信電界強度データ（デジタル信号に変換された換算電圧値）として制御部５に通知するアナログ／デジタル変換部（以下、Ａ／Ｄ変換部とする）、５は無線機の制御部である。
６〜８は制御部５の処理ブロックであり、８はＤ／Ａ変換部２に受信電界閾値を設定する受信電界閾値設定処理、７は受信電界閾値を超えた事を検出した電圧比較部３からの比較結果通知により起動し、受信電界測定処理６の起動を要求する受信電界測定起動処理、６は受信電界測定起動処理７からの起動要求によってＡ／Ｄ変換部４からの受信電界強度データを取得して受信電界レベルを測定する受信電界測定処理である。
また、受信電界測定起動処理７のフローチャートを図２に、受信電界測定処理６のフローチャートを図３に示す。
【００１１】
次に動作について説明する。
図１の構成では、制御部５の受信電界閾値設定処理８によってＤ／Ａ変換部２に対して受信電界閾値を設定し、その出力電圧値（受信電界閾値から換算された電圧値の閾値）が電圧比較部３に入力された状態になっている。また、受信電界が無い状態であれば、制御部５の受信電界測定処理６は図３のＷａｉｔ状態になり起動停止となっている。
無線部１で電界を受信すると電圧比較部３の入力に受信電界強度に比例した電圧が印可され、この電圧が上記受信電界閾値設定処理８によって設定された電圧値の閾値を超えると電圧比較部３から制御部５に「受信電界有り」の通知がなされ、受信電界測定起動処理７が動作して図２に示されるように受信電界測定処理６に対して起動要求をＯＮにする。この起動要求ＯＮによって受信電界測定処理６はＷａｉｔ状態から抜けて所定の受信電界強度の測定を開始する。即ち、受信電界測定処理６は、Ｗａｉｔ状態から抜けると、Ａ／Ｄ変換部４より受信電界強度データ（デジタル信号に変換された換算電圧値）を入力し、入力した受信電界強度データに基づいて受信電界強度を測定する。
受信電界測定処理６で「受信電界無し」と判定すると、図３に示すように自身の起動要求をＯＦＦして再度Ｗａｉｔ状態となる。
【００１２】
以上のように、本実施の形態によれば受信電界レベルが無い状態では制御部５を常にＷａｉｔ状態として起動を行なわず、かつ受信電界レベルの検出トリガは制御部５以外の機能ブロックで判断をさせることにより、制御部５の無駄なサンプリング起動を低減できるため、無線機として受信待受け状態の低消費電力化が可能となる。
【００１３】
ここで、本実施の形態で示した無線機の特徴を以下にて再言する。
本実施の形態に示した無線機は、
制御部の受信電界閾値設定処理に基づいて受信電界閾値を電圧値に換算して出力するＤ／Ａ変換部と、受信電界強度を電圧値に換算して出力する無線部と、その無線部から出力される受信電界強度換算の電圧値と前述のＤ／Ａ変換部から出力される電圧値と比較して受信電界閾値を超えた事を制御部に通知する電圧比較部と、前述の無線機から出力される受信電界強度換算の電圧値をＡ／Ｄ変換して受信電界強度データとして制御部に通知するＡ／Ｄ変換部で構成される無線機であって、前述の電圧比較部からの通知により制御部の受信電界測定起動処理を起動し、これを持って受信電界閾値を超えた事を制御部として検出すると共に、受信状態以外は起動停止している受信電界測定処理を起動開始する事により、前述のＡ／Ｄ変換部から受信電界強度データを取得する事を特徴とする。
【００１４】
【発明の効果】
本発明によれば、換算電圧値が閾値以上となった場合のみ受信電界強度の測定を行うため、効率的に受信電界強度の測定を行うことができ、受信待受け時の省電力化を図ることができる。
【図面の簡単な説明】
【図１】実施の形態１に係る無線機の構成例を示す図。
【図２】受信電界測定起動処理のフローチャート図。
【図３】受信電界測定処理のフローチャート図。
【図４】従来技術による無線機の構成例を示す図。
【図５】従来技術における受信電界レベル比較処理のフローチャート図。
【符号の説明】
１　無線部、２　デジタル／アナログ変換部、３　電圧比較部、４　アナログ／デジタル変換部、５　制御部、６　受信電界測定処理、７　受信電界測定起動処理、８　受信電界閾値設定処理、９　受信電界比較処理。
【図１】
2004015481.tif 000003
【図２】
2004015481.tif 000004
【図３】
2004015481.tif 000005
【図４】
2004015481.tif 000006
【図５】
2004015481.tif 000007